(57)【要約】      （修正有）【課題】構造が簡単で、リアルタイムに温度及び方位を表示でき、節電で環境保護に優れた野外用多機能ソーラー折畳卓を提供する。【解決手段】野外用多機能ソーラー折畳卓は、ソーラー卓面１と、ソーラー卓面１を支持するための卓面ホルダー２と、を含み、ソーラー卓面１は、制御出力モジュール１６と、同一水平面に位置される複数個のＰＶパネル１１と、を含み、隣り合うＰＶパネル１１同士はヒンジ接続されており、各ＰＶパネル１１の背面に織物卓布が貼合されており、制御出力モジュール１６は、制御ハウジングと、メインボードと、インバータと、および出力ポートとを含む。メインボードおよびインバータはいずれも制御ハウジング内に設置され、出力ポートは制御ハウジングの表面に設置され、複数個のＰＶパネル１１とメインボードとが接続されている。ソーラー卓面１は卓面ホルダー２に着脱可能に設置されている。【選択図】図１
0003232560.tif 000002
【実用新案登録請求の範囲】
【請求項１】
野外用多機能ソーラー折畳卓であって、ソーラー卓面１と、ソーラー卓面１を支持するた
めの卓面ホルダー２と、を含み、ソーラー卓面１は、制御出力モジュール１６と、同一水
平面に位置される複数個のＰＶパネル１１と、を含み、隣り合うＰＶパネル１１同士はヒ
ンジ接続部材によってヒンジ接続されており、各ＰＶパネル１１の背面に織物卓布が貼合
されており、制御出力モジュール１６は、制御ハウジングと、メインボードと、インバー
タと、および出力ポートとを含み、前記メインボードおよびインバータはいずれも制御ハ
ウジング内に設置されてされており、前記出力ポートは制御ハウジングの表面に設置され
ており、複数個のＰＶパネル１１の出力端とメインボードの入力端とが接続されており、
前記メインボードの出力端はインバータを介して出力ポートに接続されており、前記制御
ハウジングの一側はがソーラー卓面１にヒンジ接続されており、前記制御ハウジングの表
面に織物卓布と貼合するためのベルクロが設置されており、ソーラー卓面１は卓面ホルダ
ー２に着脱可能に設置されており、前記織物卓布は卓面ホルダー２に対向している、こと
を特徴とする野外用多機能ソーラー折畳卓。
【請求項２】
ヒンジ接続部材は、ヒンジ１２を含み、ヒンジ１２内に中空チャンパーが設けられており
、中空チャンパー内にヒンジピン１３が設けられており、ヒンジ１２は、各ＰＶパネル１
１の両側にそれぞれ設けられるとともに、２つのＰＶパネル１１の隣り合う両側部間で１
個のヒンジ１２を共用するように構成されており、ソーラー卓面１の両側に位置するヒン
ジ１２の前後両端に第１開孔１５が開設されており、ソーラー卓面１の中間位置における
ヒンジ１２の前後両端に第２開孔１４が開設されており、卓面ホルダー２は、第１開孔１
５に着脱可能に組立てられヒンジピン１３に外套される第１組立部材２１と、第２開孔１
４に着脱可能に組立てられヒンジピン１３に外套される第２組立部材２２とを含み、第１
組立部材２１および第２組立部材２２の下端にいずれも鉛直方向に延伸する鉛直ロッド２
４が設けられており、ソーラー卓面１の前端の第２組立部材２２の両側にそれぞれ水平方
向に延伸する水平ロッド２３を介してソーラー卓面１の前端に位置する両第１組立部材２
１に接続されており、ソーラー卓面１の後端の第２組立部材２２の両側がそれぞれ水平方
向に延伸する水平ロッド２３を介してソーラー卓面１の後端に位置する両第１組立部材２
１に接続されており、水平ロッド２３はソーラー卓面１の底部に位置している、ことを特
徴とする請求項１に記載の野外用多機能ソーラー折畳卓。
【請求項３】
卓面ホルダー２は、複数個の第３組立部材２９と、複数個の第１斜めロッド２５と、複数
個の第２斜めロッド２６と、複数個の第３斜めロッド２７と、および複数個の第４斜めロ
ッド２８とを含み、第３組立部材２９が各鉛直ロッド２４におけるソーラー卓面１と反対
側の一端に位置されており、ソーラー卓面１の前端に位置する第１組立部材２１および第
２組立部材２２はいずれも第１斜めロッド２５を介してソーラー卓面１の後端に位置する
とともにそれらにそれぞれ対応する第３組立部材２９に接続されており、ソーラー卓面１
の後端に位置する第１組立部材２１および第２組立部材２２はいずれも第２斜めロッド２
６を介してソーラー卓面１の前端に位置するとともにそれらにそれぞれ対応する第３組立
部材２９に接続されており、ソーラー卓面１の前端に位置する第２組立部材２２の両側は
それぞれ第３斜めロッド２７を介してソーラー卓面１の前端両側に位置する第３組立部材
２９に接続されており、ソーラー卓面１の後端に位置する第２組立部材２２の両側はそれ
ぞれ第３斜めロッド２７を介してソーラー卓面１の後端に位置する両第３組立部材２９に
接続されており、ソーラー卓面１の前端の中間位置に位置する第３組立部材２９は第４斜
めロッド２８を介してそれぞれソーラー卓面１の前端の両側位置に位置する両第１組立部
材２１に接続されており、ソーラー卓面１の後端の中間位置に位置する第３組立部材２９
は第４斜めロッド２８を介してそれぞれソーラー卓面１の後端の両側位置に位置する両第
１組立部材２１に接続されている、ことを特徴とする請求項２に記載の野外用多機能ソー
ラー折畳卓。
【請求項４】
第１組立部材２１の頂端および第２組立部材２２の頂端にそれぞれヒンジピン１３に組み
立てる組立係溝が開設されており、第１組立部材２１の一側および第２組立部材２２の上
端両側にそれぞれ水平ロッド２３を組み立てる水平係溝が開設されており、第１組立部材
２１の下端および第２組立部材２２の下端にそれぞれ鉛直係溝が開設されており、ソーラ
ー卓面１の前端に位置する第１組立部材２１の背面およびソーラー卓面１の前端に位置す
る第２組立部材２２の背面にそれぞれ第１斜めロッド２５を組み立てる第１斜めロッド係
溝が開設されており、ソーラー卓面１の後端に位置する第１組立部材２１の表面およびソ
ーラー卓面１の後端に位置する第２組立部材２２の表面にそれぞれ第２斜めロッド２６を
組み立てる第２斜めロッド係溝が開設されており、各第２組立部材２２の両側にされに第
３斜めロッド２７を組み立てる第３斜めロッド係溝が開設されており、各第１組立部材２
１の一側にさらに第４斜めロッド２８を組み立てる第４斜めロッド係溝が開設されている
、ことを特徴とする請求項３に記載の野外用多機能ソーラー折畳卓。
【請求項５】
さらに、支持格子を備えており、前記支持格子は、水平に配置される基網３１と、複数個
の接続ブロック３２と、を含み、接続ブロック３２の一端に水平ロッド２３が挿入設置さ
れており、接続ブロック３２の他端が基網３１に垂直に接続されている、ことを特徴とす
る請求項２に記載の野外用多機能ソーラー折畳卓。
【考案の詳細な説明】
【技術分野】
【０００１】
本考案は折畳卓の技術分野に関し、特に野外用多機能ソーラー折畳卓に関する。
【背景技術】
【０００２】
国民の経済収入の高まることに従って、人々の生活水準と活動範囲はますます大きくなっ
て、野外のレジャー娯楽活動は広範な大衆の愛顧を得て、活動項目はますます多くなって
、活動時間はますます長くなっている。屋外で食事をするのに便利なように、多くの人が
折り畳み式のテーブルを持っている。食事をする時はテーブルとして使える。食事をしな
い時は娯楽テーブルやテーブルとして使える。アウトドアの娯楽を豊かにするために、多
くの人が音響設備、ノートパソコン、iPad、携帯電話などのモバイル電子機器を持ってい
る。野外活動時間が長いので、音響設備、ノートパソコン、IPAD、携帯電話を長時間使う
場合、緊急電源を配置する必要があるが、使用時間は緊急電源の容量によって制限されて
いる。現在、市場の屋外のポータブルデスクは構造が簡単で、持ち運びが便利で、機能が
単一で、伝統的な屋外活動を満足させることができるが、屋外活動を満足できない時、モ
バイル電子機器に電気や充電ができる。太陽電池パネルは発電できるが、太陽電池パネル
は壊れやすいので、輸送に不便で、安全問題が発生しやすく、設備運行の信頼性が確保で
きない。これらの問題に対して、モバイル機器に電気や充電をしたり、屋外での活動にも
対応できるテーブルを開発する必要がある。そのため、多くのメーカーや有識者が開発し
ているが、未だに満足できる製品が登場していない。
【考案の概要】
【０００３】
上記の問題を解決するために、本実用新案は、野外用多機能ソーラー折畳卓を提供する。
構造が簡単で、リアルタイムに温度及び方位を表示でき、節電で環境保護に優れたソーラ
ー折畳卓であり、屋外での電力供給の機能を実現する。
【０００４】
野外用多機能ソーラー折畳卓は、ソーラー卓面１と、ソーラー卓面１を支持するための卓
面ホルダー２と、を含み、ソーラー卓面１は、制御出力モジュール１６と、同一水平面に
位置される複数個のＰＶパネル１１と、を含み、隣り合うＰＶパネル１１同士はヒンジ接
続部材によってヒンジ接続されており、各ＰＶパネル１１の背面に織物卓布が貼合されて
おり、制御出力モジュール１６は、制御ハウジングと、メインボードと、インバータと、
および出力ポートとを含み、前記メインボードおよびインバータはいずれも制御ハウジン
グ内に設置されてされており、前記出力ポートは制御ハウジングの表面に設置されており
、複数個のＰＶパネル１１の出力端とメインボードの入力端とが接続されており、前記メ
インボードの出力端はインバータを介して出力ポートに接続されており、前記制御ハウジ
ングの一側はがソーラー卓面１にヒンジ接続されており、前記制御ハウジングの表面に織
物卓布と貼合するためのベルクロが設置されており、ソーラー卓面１は卓面ホルダー２に
着脱可能に設置されており、前記織物卓布は卓面ホルダー２に対向している。
【０００５】
好ましくは、ヒンジ接続部材は、ヒンジ１２を含み、ヒンジ１２内に中空チャンパーが設
けられており、中空チャンパー内にヒンジピン１３が設けられており、ヒンジ１２は、各
ＰＶパネル１１の両側にそれぞれ設けられるとともに、２つのＰＶパネル１１の隣り合う
両側部間で１個のヒンジ１２を共用するように構成されており、ソーラー卓面１の両側に
位置するヒンジ１２の前後両端に第１開孔１５が開設されており、ソーラー卓面１の中間
位置におけるヒンジ１２の前後両端に第２開孔１４が開設されており、卓面ホルダー２は
、第１開孔１５に着脱可能に組立てられヒンジピン１３に外套される第１組立部材２１と
、第２開孔１４に着脱可能に組立てられヒンジピン１３に外套される第２組立部材２２と
を含み、第１組立部材２１および第２組立部材２２の下端にいずれも鉛直方向に延伸する
鉛直ロッド２４が設けられており、ソーラー卓面１の前端の第２組立部材２２の両側にそ
れぞれ水平方向に延伸する水平ロッド２３を介してソーラー卓面１の前端に位置する両第
１組立部材２１に接続されており、ソーラー卓面１の後端の第２組立部材２２の両側がそ
れぞれ水平方向に延伸する水平ロッド２３を介してソーラー卓面１の後端に位置する両第
１組立部材２１に接続されており、水平ロッド２３はソーラー卓面１の底部に位置してい
る。
【０００６】
好ましくは、卓面ホルダー２は、複数個の第３組立部材２９と、複数個の第１斜めロッド
２５と、複数個の第２斜めロッド２６と、複数個の第３斜めロッド２７と、および複数個
の第４斜めロッド２８とを含み、第３組立部材２９が各鉛直ロッド２４におけるソーラー
卓面１と反対側の一端に位置されており、ソーラー卓面１の前端に位置する第１組立部材
２１および第２組立部材２２はいずれも第１斜めロッド２５を介してソーラー卓面１の後
端に位置するとともにそれらにそれぞれ対応する第３組立部材２９に接続されており、ソ
ーラー卓面１の後端に位置する第１組立部材２１および第２組立部材２２はいずれも第２
斜めロッド２６を介してソーラー卓面１の前端に位置するとともにそれらにそれぞれ対応
する第３組立部材２９に接続されており、ソーラー卓面１の前端に位置する第２組立部材
２２の両側はそれぞれ第３斜めロッド２７を介してソーラー卓面１の前端両側に位置する
第３組立部材２９に接続されており、ソーラー卓面１の後端に位置する第２組立部材２２
の両側はそれぞれ第３斜めロッド２７を介してソーラー卓面１の後端に位置する両第３組
立部材２９に接続されており、ソーラー卓面１の前端の中間位置に位置する第３組立部材
２９は第４斜めロッド２８を介してそれぞれソーラー卓面１の前端の両側位置に位置する
両第１組立部材２１に接続されており、ソーラー卓面１の後端の中間位置に位置する第３
組立部材２９は第４斜めロッド２８を介してそれぞれソーラー卓面１の後端の両側位置に
位置する両第１組立部材２１に接続されている。
【０００７】
好ましくは、第１組立部材２１の頂端および第２組立部材２２の頂端にそれぞれヒンジピ
ン１３に組み立てる組立係溝が開設されており、第１組立部材２１の一側および第２組立
部材２２の上端両側にそれぞれ水平ロッド２３を組み立てる水平係溝が開設されており、
第１組立部材２１の下端および第２組立部材２２の下端にそれぞれ鉛直係溝が開設されて
おり、ソーラー卓面１の前端に位置する第１組立部材２１の背面およびソーラー卓面１の
前端に位置する第２組立部材２２の背面にそれぞれ第１斜めロッド２５を組み立てる第１
斜めロッド係溝が開設されており、ソーラー卓面１の後端に位置する第１組立部材２１の
表面およびソーラー卓面１の後端に位置する第２組立部材２２の表面にそれぞれ第２斜め
ロッド２６を組み立てる第２斜めロッド係溝が開設されており、各第２組立部材２２の両
側にされに第３斜めロッド２７を組み立てる第３斜めロッド係溝が開設されており、各第
１組立部材２１の一側にさらに第４斜めロッド２８を組み立てる第４斜めロッド係溝が開
設されている。
【０００８】
好ましくは、さらに、支持格子を備えており、前記支持格子は、水平に配置される基網３
１と、複数個の接続ブロック３２と、を含み、接続ブロック３２の一端に水平ロッド２３
が挿入設置されており、接続ブロック３２の他端が基網３１に垂直に接続されている。
好ましくは、２つまたは２つ以上の第１組立部材２１にそれぞれ取付欠溝２１１が開設さ
れており、温度計３４がその１つの第１組立部材２１における取付欠溝２１１内に着脱可
能に取付けられており、コンパス３３がその別のいずれか１つの第１組立部材２１の取付
欠溝２１１内に着脱可能に取付けられている。
【０００９】
本実用新案の有利な効果は以下の通りである。
ソーラー卓面１は卓面ホルダー２に着脱可能に設置されている。さらに本願考案において
、ソーラー卓面１は相互にヒンジ接続される複数個のＰＶパネル１１より構成されている
。このように構成すると、電気供給が必要な場合、ＰＶパネル１１を、展開して、卓面ホ
ルダー２上に取り付けて、太陽に向かせばよい。この場合、ＰＶパネル１１によって太陽
エネルギを生じ得、制御出力モジュール１６によってさらに処理して、それから、制御出
力モジュール１６の出力端末に電子装置を接続して、野外での電気供給が可能になる。こ
れによって、省エネであり、構成上で適宜で、トライプには便利となる。
さらに、ＰＶパネル１１を卓面ホルダー２上に平らに配置していると、ソーラー卓面１に
各種類の品物を置いて、それ上で各活動を行うことができる。また、電子装置の電量が十
分であると、ソーラー卓面１を反転させることができる。すなわち、ＰＶパネル１１の織
物卓布付く一面が上向きとなり、美しくなる。
織物ボックス１６２と織物卓布とが緊密に貼合されている。メインボード、インバータ、
および出力ポートはいずれも織物ボックス１６２内に置いてもよ良い。その端面にジッパ
ーユニット１６１が設けられ、これによって口を封じられる。このため、収納が便利にで
きている。そして、制御出力モジュールに塵などが進入するなどによって正常の動作を影
響することを回避できる。
さらに、本願考案にかかるソーラー卓面１は相互にヒンジ接続される複数個のＰＶパネル
１１により構成されるとともに、卓面ホルダー２は折畳んで収納可能としている。即ち、
非工作状態では、卓面ホルダーとＰＶパネル１１はそれぞれ折り畳み収納可能であり、占
用の空間を大きく減少する。また、分体的構成によりメンテナンスが容易に行われるよう
になっている。
【図面の簡単な説明】
【００１０】
【図１】本考案の野外用多機能ソーラー折畳卓の立体構造図である。
【図２】本実用新案における卓面ホルダーの立体構造図である。
【図３】本実用新案のソーラー卓の平面構造を示す図である。
【図４】本実用新案の図３Ａにおける拡大構造図である。
【図５】本実用新案の図３Ｂにおける拡大構造図である。
【００１１】
［符号の説明］
１      ソーラー卓面
１１    ＰＶパネル（光起電力パネル）
１２    ヒンジ
１３    ヒンジピン
１４    第２開孔
１５    第１開孔
１６    制御出力モジュール
２      卓面ホルダー
２１    第１組立部材
２２    第２組立部材
２３    水平ロッド
２４    鉛直ロッド
２５    第１斜めロッド
２６    第２斜めロッド
２７    第３斜めロッド
２８    第４斜めロッド
２９    第３組立部材
３１    基網
３２    接続ブロック
【考案を実施するための形態】
【００１２】
図１?５に示すように、野外用多機能ソーラー折畳卓は、ソーラー卓面１と、ソーラー卓
面１を支持するための卓面ホルダー２と、を含む。ソーラー卓面１は、制御出力モジュー
ル１６と、同一水平面に位置される複数個のＰＶパネル１１と、を含む。隣り合うＰＶパ
ネル１１同士はヒンジ接続部材によってヒンジ接続されている。各ＰＶパネル１１の背面
に織物卓布が貼合されている。制御出力モジュール１６は、制御ハウジングと、メインボ
ードと、インバータと、および出力ポートとを含む。前記メインボードおよびインバータ
はいずれも制御ハウジング内に設置されてされている。前記出力ポートは制御ハウジング
の表面に設置されている。複数個のＰＶパネル１１の出力端とメインボードの入力端とが
接続されている。前記メインボードの出力端はインバータを介して出力ポートに接続され
ている。前記制御ハウジングの一側はがソーラー卓面１にヒンジ接続されている。前記制
御ハウジングの表面に織物卓布と貼合するためのベルクロが設置されている。ソーラー卓
面１は卓面ホルダー２に着脱可能に設置されている。前記織物卓布は卓面ホルダー２に対
向している。
【００１３】
ソーラー卓面１は卓面ホルダー２に着脱可能に設置されている。さらに本願考案において
、ソーラー卓面１は相互にヒンジ接続される複数個のＰＶパネル１１より構成されている
。このように構成すると、電気供給が必要な場合、ＰＶパネル１１を、展開して、卓面ホ
ルダー２上に取り付けて、太陽に向かせばよい。この場合、ＰＶパネル１１によって太陽
エネルギを生じ得、制御出力モジュール１６によってさらに処理して、それから、制御出
力モジュール１６の出力端末に電子装置を接続して、野外での電気供給が可能になる。こ
れによって、省エネであり、構成上で適宜で、トライプには便利となる。
【００１４】
さらに、ＰＶパネル１１を卓面ホルダー２上に平らに配置していると、ソーラー卓面１に
各種類の品物を置いて、それ上で各活動を行うことができる。また、電子装置の電量が十
分であると、ソーラー卓面１を反転させることができる。すなわち、ＰＶパネル１１の織
物卓布付く一面が上向きとなり、美しくなる。
【００１５】
織物ボックス１６２と織物卓布とが緊密に貼合されている。メインボード、インバータ、
および出力ポートはいずれも織物ボックス１６２内に置いてもよ良い。その端面にジッパ
ーユニット１６１が設けられ、これによって口を封じられる。このため、収納が便利にで
きている。そして、制御出力モジュールに塵などが進入するなどによって正常の動作を影
響することを回避できる。
【００１６】
さらに、本願考案にかかるソーラー卓面１は相互にヒンジ接続される複数個のＰＶパネル
１１により構成されるとともに、卓面ホルダー２は折畳んで収納可能としている。即ち、
非工作状態では、卓面ホルダーとＰＶパネル１１はそれぞれ折り畳み収納可能であり、占
用の空間を大きく減少する。また、分体的構成によりメンテナンスが容易に行われるよう
になっている。
【００１７】
ヒンジ接続部材は、ヒンジ１２を含む。そして、ヒンジ１２内に中空チャンパーが設けら
れている。中空チャンパー内にヒンジピン１３が設けられている。ヒンジ１２は、各ＰＶ
パネル１１の両側にそれぞれ設けられるとするとともに、２つのＰＶパネル１１の隣り合
う両側部間で１個のヒンジ１２を共用するように構成されている。ソーラー卓面１の両側
に位置するヒンジ１２の前後両端に第１開孔１５が開設されている。ソーラー卓面１の中
間位置におけるヒンジ１２の前後両端に第２開孔１４が開設されている。卓面ホルダー２
は、第１開孔１５に着脱可能に組立てられヒンジピン１３に外套される第１組立部材２１
と、第２開孔１４に着脱可能に組立てられヒンジピン１３に外套される第２組立部材２２
とを含む。第１組立部材２１および第２組立部材２２の下端にいずれも鉛直方向に延伸す
る鉛直ロッド２４が設けられている。また、ソーラー卓面１の前端の第２組立部材２２の
両側にそれぞれ水平方向に延伸する水平ロッド２３を介してソーラー卓面１の前端に位置
する両第１組立部材２１に接続されている。ソーラー卓面１の後端の第２組立部材２２の
両側がそれぞれ水平方向に延伸する水平ロッド２３を介してソーラー卓面１の後端に位置
する両第１組立部材２１に接続されている。なお、水平ロッド２３はソーラー卓面１の底
部に位置している。
【００１８】
ヒンジ１２の特性によって、複数個のＰＶパネル１１は相互折り畳んで収納可能となって
いる。中空チャンパー内にあるヒンジピン１３は、卓面ホルダー２と組み立てるために用
いられるうえ、ＰＶパネル１１同士間の安定性も向上できている。水平ロッド２３と鉛直
ロッド２４によって基本的枠構成を形成する上で、ソーラー卓面１を卓面ホルダー２上に
配置し、加えて水平ロッド２３によって複数個のＰＶパネル１１の底面を支持するとされ
ているので、ＰＶパネル１１の安定化が実現できる。
【００１９】
卓面ホルダー２は、さらに複数個の第３組立部材２９と、複数個の第１斜めロッド２５と
、複数個の第２斜めロッド２６と、複数個の第３斜めロッド２７と、および複数個の第４
斜めロッド２８とを含む。第３組立部材２９が各鉛直ロッド２４におけるソーラー卓面１
と反対側の一端に位置されている。ソーラー卓面１の前端に位置する第１組立部材２１お
よび第２組立部材２２はいずれも第１斜めロッド２５を介してソーラー卓面１の後端に位
置するとともにそれらにそれぞれ対応する第３組立部材２９に接続されている。ソーラー
卓面１の後端に位置する第１組立部材２１および第２組立部材２２はいずれも第２斜めロ
ッド２６を介してソーラー卓面１の前端に位置するとともにそれらにそれぞれ対応する第
３組立部材２９に接続されている。ソーラー卓面１の前端に位置する第２組立部材２２の
両側はそれぞれ第３斜めロッド２７を介してソーラー卓面１の前端両側に位置する第３組
立部材２９に接続されている。ソーラー卓面１の後端に位置する第２組立部材２２の両側
はそれぞれ第３斜めロッド２７を介してソーラー卓面１の後端に位置する両第３組立部材
２９に接続されている。ソーラー卓面１の前端の中間位置に位置する第３組立部材２９は
第４斜めロッド２８を介してそれぞれソーラー卓面１の前端の両側位置に位置する両第１
組立部材２１に接続されている。ソーラー卓面１の後端の中間位置に位置する第３組立部
材２９は第４斜めロッド２８を介してそれぞれソーラー卓面１の後端の両側位置に位置す
る両第１組立部材２１に接続されている。
【００２０】
備えられている第１斜めロッド２５、第２斜めロッド２６、第３斜めロッド２７、および
第４斜めロッド２８によって、複数の三角形安定構成を形成していはるので、卓面ホルダ
ー２全体としてさらなる安定性を持たせている。ということで、水平ロッド２３を取り外
すと、各鉛直ロッド２４を中間側へ押せば良い。第１斜めロッド２５、第２斜めロッド２
６、第３斜めロッド２７、第４斜めロッド２８は、対応する第１組立部材２１、第２組立
部材２２、第３組立部材２９と組立時点において相互ヒンジ接続状態が形成されたとなる
ので、卓面ホルダー２全体としては折畳み収納が可能となり、占用空間を大きく減少する
。
【００２１】
第１組立部材２１の頂端および第２組立部材２２の頂端にそれぞれヒンジピン１３に組み
立てる組立係溝が開設されている。第１組立部材２１の一側および第２組立部材２２の上
端両側にそれぞれ水平ロッド２３を組み立てる水平係溝が開設されている。第１組立部材
２１の下端および第２組立部材２２の下端にそれぞれ鉛直係溝が開設されている。ソーラ
ー卓面１の前端に位置する第１組立部材２１の背面およびソーラー卓面１の前端に位置す
る第２組立部材２２の背面にそれぞれ第１斜めロッド２５を組み立てる第１斜めロッド係
溝が開設されている。ソーラー卓面１の後端に位置する第１組立部材２１の表面およびソ
ーラー卓面１の後端に位置する第２組立部材２２の表面にそれぞれ第２斜めロッド２６を
組み立てる第２斜めロッド係溝が開設されている。各第２組立部材２２の両側にされに第
３斜めロッド２７を組み立てる第３斜めロッド係溝が開設されている。各第１組立部材２
１の一側にさらに第４斜めロッド２８を組み立てる第４斜めロッド係溝が開設されている
。
【００２２】
さらに支持格子を備えている。支持格子は、水平に配置される基網３１と、複数個の接続
ブロック３２と、を含む。接続ブロック３２の一端に水平ロッド２３が挿入設置されてい
る。接続ブロック３２の他端が基網３１に垂直に接続されている。支持格子はさらに引き
出しとしても機能を発揮できるが、様々な物を基網３１の表面におけば良い。
【００２３】
以上の実施形態は、本考案の好適な実施形態についての説明するものであり、本考案の範
囲を限定するものではなく、本考案の精神から逸脱しないことを前提に、当業者が本考案
に対して行った様々な変形及び改良は、本考案の請求項に定める保護範囲内に含まれるも
のとする。
【図１】
0003232560.tif 000003
【図２】
0003232560.tif 000004
【図３】
0003232560.tif 000005
【図４】
0003232560.tif 000006
【図５】
0003232560.tif 000007
【手続補正書】
【提出日】令和3年4月8日(2021.4.8)
【手続補正１】
【補正対象書類名】実用新案登録請求の範囲
【補正対象項目名】全文
【補正方法】変更
【補正の内容】
【実用新案登録請求の範囲】
【請求項１】
野外用多機能ソーラー折畳卓であって、ソーラー卓面１と、ソーラー卓面１を支持するた
めの卓面ホルダー２と、を含み、ソーラー卓面１は、制御出力モジュール１６と、同一水
平面に位置される複数個のＰＶパネル１１と、を含み、隣り合うＰＶパネル１１同士はヒ
ンジ接続部材によってヒンジ接続されており、各ＰＶパネル１１の背面に織物卓布が貼合
されており、制御出力モジュール１６は、制御ハウジングと、メインボードと、インバー
タと、および出力ポートとを含み、前記メインボードおよびインバータはいずれも制御ハ
ウジング内に設置されてされており、前記出力ポートは制御ハウジングの表面に設置され
ており、複数個のＰＶパネル１１の出力端とメインボードの入力端とが接続されており、
前記メインボードの出力端はインバータを介して出力ポートに接続されており、前記制御
ハウジングの一側はがソーラー卓面１にヒンジ接続されており、前記制御ハウジングの表
面に織物卓布と貼合するための面ファスナーが設置されており、ソーラー卓面１は卓面ホ
ルダー２に着脱可能に設置されており、前記織物卓布は卓面ホルダー２に対向している、
ことを特徴とする野外用多機能ソーラー折畳卓。
【請求項２】
ヒンジ接続部材は、ヒンジ１２を含み、ヒンジ１２内に中空チャンパーが設けられており
、中空チャンパー内にヒンジピン１３が設けられており、ヒンジ１２は、各ＰＶパネル１
１の両側にそれぞれ設けられるとともに、２つのＰＶパネル１１の隣り合う両側部間で１
個のヒンジ１２を共用するように構成されており、ソーラー卓面１の両側に位置するヒン
ジ１２の前後両端に第１開孔１５が開設されており、ソーラー卓面１の中間位置における
ヒンジ１２の前後両端に第２開孔１４が開設されており、卓面ホルダー２は、第１開孔１
５に着脱可能に組立てられヒンジピン１３に外套される第１組立部材２１と、第２開孔１
４に着脱可能に組立てられヒンジピン１３に外套される第２組立部材２２とを含み、第１
組立部材２１および第２組立部材２２の下端にいずれも鉛直方向に延伸する鉛直ロッド２
４が設けられており、ソーラー卓面１の前端の第２組立部材２２の両側にそれぞれ水平方
向に延伸する水平ロッド２３を介してソーラー卓面１の前端に位置する両第１組立部材２
１に接続されており、ソーラー卓面１の後端の第２組立部材２２の両側がそれぞれ水平方
向に延伸する水平ロッド２３を介してソーラー卓面１の後端に位置する両第１組立部材２
１に接続されており、水平ロッド２３はソーラー卓面１の底部に位置している、ことを特
徴とする請求項１に記載の野外用多機能ソーラー折畳卓。
【請求項３】
卓面ホルダー２は、複数個の第３組立部材２９と、複数個の第１斜めロッド２５と、複数
個の第２斜めロッド２６と、複数個の第３斜めロッド２７と、および複数個の第４斜めロ
ッド２８とを含み、第３組立部材２９が各鉛直ロッド２４におけるソーラー卓面１と反対
側の一端に位置されており、ソーラー卓面１の前端に位置する第１組立部材２１および第
２組立部材２２はいずれも第１斜めロッド２５を介してソーラー卓面１の後端に位置する
とともにそれらにそれぞれ対応する第３組立部材２９に接続されており、ソーラー卓面１
の後端に位置する第１組立部材２１および第２組立部材２２はいずれも第２斜めロッド２
６を介してソーラー卓面１の前端に位置するとともにそれらにそれぞれ対応する第３組立
部材２９に接続されており、ソーラー卓面１の前端に位置する第２組立部材２２の両側は
それぞれ第３斜めロッド２７を介してソーラー卓面１の前端両側に位置する第３組立部材
２９に接続されており、ソーラー卓面１の後端に位置する第２組立部材２２の両側はそれ
ぞれ第３斜めロッド２７を介してソーラー卓面１の後端に位置する両第３組立部材２９に
接続されており、ソーラー卓面１の前端の中間位置に位置する第３組立部材２９は第４斜
めロッド２８を介してそれぞれソーラー卓面１の前端の両側位置に位置する両第１組立部
材２１に接続されており、ソーラー卓面１の後端の中間位置に位置する第３組立部材２９
は第４斜めロッド２８を介してそれぞれソーラー卓面１の後端の両側位置に位置する両第
１組立部材２１に接続されている、ことを特徴とする請求項２に記載の野外用多機能ソー
ラー折畳卓。
【請求項４】
第１組立部材２１の頂端および第２組立部材２２の頂端にそれぞれヒンジピン１３に組み
立てる組立係溝が開設されており、第１組立部材２１の一側および第２組立部材２２の上
端両側にそれぞれ水平ロッド２３を組み立てる水平係溝が開設されており、第１組立部材
２１の下端および第２組立部材２２の下端にそれぞれ鉛直係溝が開設されており、ソーラ
ー卓面１の前端に位置する第１組立部材２１の背面およびソーラー卓面１の前端に位置す
る第２組立部材２２の背面にそれぞれ第１斜めロッド２５を組み立てる第１斜めロッド係
溝が開設されており、ソーラー卓面１の後端に位置する第１組立部材２１の表面およびソ
ーラー卓面１の後端に位置する第２組立部材２２の表面にそれぞれ第２斜めロッド２６を
組み立てる第２斜めロッド係溝が開設されており、各第２組立部材２２の両側にされに第
３斜めロッド２７を組み立てる第３斜めロッド係溝が開設されており、各第１組立部材２
１の一側にさらに第４斜めロッド２８を組み立てる第４斜めロッド係溝が開設されている
、ことを特徴とする請求項３に記載の野外用多機能ソーラー折畳卓。
【請求項５】
さらに、支持格子を備えており、前記支持格子は、水平に配置される基網３１と、複数個
の接続ブロック３２と、を含み、接続ブロック３２の一端に水平ロッド２３が挿入設置さ
れており、接続ブロック３２の他端が基網３１に垂直に接続されている、ことを特徴とす
る請求項２に記載の野外用多機能ソーラー折畳卓。
【手続補正２】
【補正対象書類名】明細書
【補正対象項目名】全文
【補正方法】変更
【補正の内容】
【考案の詳細な説明】
【技術分野】
【０００１】
本考案は折畳卓の技術分野に関し、特に野外用多機能ソーラー折畳卓に関する。
【背景技術】
【０００２】
国民の経済収入の高まることに従って、人々の生活水準と活動範囲はますます大きくなっ
て、野外のレジャー娯楽活動は広範な大衆の愛顧を得て、活動項目はますます多くなって
、活動時間はますます長くなっている。屋外で食事をするのに便利なように、多くの人が
折り畳み式のテーブルを持っている。食事をする時はテーブルとして使える。食事をしな
い時は娯楽テーブルやテーブルとして使える。アウトドアの娯楽を豊かにするために、多
くの人が音響設備、ノートパソコン、iPad、携帯電話などのモバイル電子機器を持ってい
る。野外活動時間が長いので、音響設備、ノートパソコン、IPAD、携帯電話を長時間使う
場合、緊急電源を配置する必要があるが、使用時間は緊急電源の容量によって制限されて
いる。現在、市場の屋外のポータブルデスクは構造が簡単で、持ち運びが便利で、機能が
単一で、伝統的な屋外活動を満足させることができるが、屋外活動を満足できない時、モ
バイル電子機器に電気や充電ができる。太陽電池パネルは発電できるが、太陽電池パネル
は壊れやすいので、輸送に不便で、安全問題が発生しやすく、設備運行の信頼性が確保で
きない。これらの問題に対して、モバイル機器に電気や充電をしたり、屋外での活動にも
対応できるテーブルを開発する必要がある。そのため、多くのメーカーや有識者が開発し
ているが、未だに満足できる製品が登場していない。
【考案の概要】
【０００３】
上記の問題を解決するために、本実用新案は、野外用多機能ソーラー折畳卓を提供する。
構造が簡単で、リアルタイムに温度及び方位を表示でき、節電で環境保護に優れたソーラ
ー折畳卓であり、屋外での電力供給の機能を実現する。
【０００４】
野外用多機能ソーラー折畳卓は、ソーラー卓面１と、ソーラー卓面１を支持するための卓
面ホルダー２と、を含み、ソーラー卓面１は、制御出力モジュール１６と、同一水平面に
位置される複数個のＰＶパネル１１と、を含み、隣り合うＰＶパネル１１同士はヒンジ接
続部材によってヒンジ接続されており、各ＰＶパネル１１の背面に織物卓布が貼合されて
おり、制御出力モジュール１６は、制御ハウジングと、メインボードと、インバータと、
および出力ポートとを含み、前記メインボードおよびインバータはいずれも制御ハウジン
グ内に設置されてされており、前記出力ポートは制御ハウジングの表面に設置されており
、複数個のＰＶパネル１１の出力端とメインボードの入力端とが接続されており、前記メ
インボードの出力端はインバータを介して出力ポートに接続されており、前記制御ハウジ
ングの一側はがソーラー卓面１にヒンジ接続されており、前記制御ハウジングの表面に織
物卓布と貼合するための面ファスナーが設置されており、ソーラー卓面１は卓面ホルダー
２に着脱可能に設置されており、前記織物卓布は卓面ホルダー２に対向している。
【０００５】
好ましくは、ヒンジ接続部材は、ヒンジ１２を含み、ヒンジ１２内に中空チャンパーが設
けられており、中空チャンパー内にヒンジピン１３が設けられており、ヒンジ１２は、各
ＰＶパネル１１の両側にそれぞれ設けられるとともに、２つのＰＶパネル１１の隣り合う
両側部間で１個のヒンジ１２を共用するように構成されており、ソーラー卓面１の両側に
位置するヒンジ１２の前後両端に第１開孔１５が開設されており、ソーラー卓面１の中間
位置におけるヒンジ１２の前後両端に第２開孔１４が開設されており、卓面ホルダー２は
、第１開孔１５に着脱可能に組立てられヒンジピン１３に外套される第１組立部材２１と
、第２開孔１４に着脱可能に組立てられヒンジピン１３に外套される第２組立部材２２と
を含み、第１組立部材２１および第２組立部材２２の下端にいずれも鉛直方向に延伸する
鉛直ロッド２４が設けられており、ソーラー卓面１の前端の第２組立部材２２の両側にそ
れぞれ水平方向に延伸する水平ロッド２３を介してソーラー卓面１の前端に位置する両第
１組立部材２１に接続されており、ソーラー卓面１の後端の第２組立部材２２の両側がそ
れぞれ水平方向に延伸する水平ロッド２３を介してソーラー卓面１の後端に位置する両第
１組立部材２１に接続されており、水平ロッド２３はソーラー卓面１の底部に位置してい
る。
【０００６】
好ましくは、卓面ホルダー２は、複数個の第３組立部材２９と、複数個の第１斜めロッド
２５と、複数個の第２斜めロッド２６と、複数個の第３斜めロッド２７と、および複数個
の第４斜めロッド２８とを含み、第３組立部材２９が各鉛直ロッド２４におけるソーラー
卓面１と反対側の一端に位置されており、ソーラー卓面１の前端に位置する第１組立部材
２１および第２組立部材２２はいずれも第１斜めロッド２５を介してソーラー卓面１の後
端に位置するとともにそれらにそれぞれ対応する第３組立部材２９に接続されており、ソ
ーラー卓面１の後端に位置する第１組立部材２１および第２組立部材２２はいずれも第２
斜めロッド２６を介してソーラー卓面１の前端に位置するとともにそれらにそれぞれ対応
する第３組立部材２９に接続されており、ソーラー卓面１の前端に位置する第２組立部材
２２の両側はそれぞれ第３斜めロッド２７を介してソーラー卓面１の前端両側に位置する
第３組立部材２９に接続されており、ソーラー卓面１の後端に位置する第２組立部材２２
の両側はそれぞれ第３斜めロッド２７を介してソーラー卓面１の後端に位置する両第３組
立部材２９に接続されており、ソーラー卓面１の前端の中間位置に位置する第３組立部材
２９は第４斜めロッド２８を介してそれぞれソーラー卓面１の前端の両側位置に位置する
両第１組立部材２１に接続されており、ソーラー卓面１の後端の中間位置に位置する第３
組立部材２９は第４斜めロッド２８を介してそれぞれソーラー卓面１の後端の両側位置に
位置する両第１組立部材２１に接続されている。
【０００７】
好ましくは、第１組立部材２１の頂端および第２組立部材２２の頂端にそれぞれヒンジピ
ン１３に組み立てる組立係溝が開設されており、第１組立部材２１の一側および第２組立
部材２２の上端両側にそれぞれ水平ロッド２３を組み立てる水平係溝が開設されており、
第１組立部材２１の下端および第２組立部材２２の下端にそれぞれ鉛直係溝が開設されて
おり、ソーラー卓面１の前端に位置する第１組立部材２１の背面およびソーラー卓面１の
前端に位置する第２組立部材２２の背面にそれぞれ第１斜めロッド２５を組み立てる第１
斜めロッド係溝が開設されており、ソーラー卓面１の後端に位置する第１組立部材２１の
表面およびソーラー卓面１の後端に位置する第２組立部材２２の表面にそれぞれ第２斜め
ロッド２６を組み立てる第２斜めロッド係溝が開設されており、各第２組立部材２２の両
側にされに第３斜めロッド２７を組み立てる第３斜めロッド係溝が開設されており、各第
１組立部材２１の一側にさらに第４斜めロッド２８を組み立てる第４斜めロッド係溝が開
設されている。
【０００８】
好ましくは、さらに、支持格子を備えており、前記支持格子は、水平に配置される基網３
１と、複数個の接続ブロック３２と、を含み、接続ブロック３２の一端に水平ロッド２３
が挿入設置されており、接続ブロック３２の他端が基網３１に垂直に接続されている。
好ましくは、２つまたは２つ以上の第１組立部材２１にそれぞれ取付欠溝２１１が開設さ
れており、温度計３４がその１つの第１組立部材２１における取付欠溝２１１内に着脱可
能に取付けられており、コンパス３３がその別のいずれか１つの第１組立部材２１の取付
欠溝２１１内に着脱可能に取付けられている。
【０００９】
本実用新案の有利な効果は以下の通りである。
ソーラー卓面１は卓面ホルダー２に着脱可能に設置されている。さらに本願考案において
、ソーラー卓面１は相互にヒンジ接続される複数個のＰＶパネル１１より構成されている
。このように構成すると、電気供給が必要な場合、ＰＶパネル１１を、展開して、卓面ホ
ルダー２上に取り付けて、太陽に向かせばよい。この場合、ＰＶパネル１１によって太陽
エネルギを生じ得、制御出力モジュール１６によってさらに処理して、それから、制御出
力モジュール１６の出力端末に電子装置を接続して、野外での電気供給が可能になる。こ
れによって、省エネであり、構成上で適宜で、トライプには便利となる。
さらに、ＰＶパネル１１を卓面ホルダー２上に平らに配置していると、ソーラー卓面１に
各種類の品物を置いて、それ上で各活動を行うことができる。また、電子装置の電量が十
分であると、ソーラー卓面１を反転させることができる。すなわち、ＰＶパネル１１の織
物卓布付く一面が上向きとなり、美しくなる。
織物ボックス１６２と織物卓布とが緊密に貼合されている。メインボード、インバータ、
および出力ポートはいずれも織物ボックス１６２内に置いてもよ良い。その端面にジッパ
ーユニット１６１が設けられ、これによって口を封じられる。このため、収納が便利にで
きている。そして、制御出力モジュールに塵などが進入するなどによって正常の動作を影
響することを回避できる。
さらに、本願考案にかかるソーラー卓面１は相互にヒンジ接続される複数個のＰＶパネル
１１により構成されるとともに、卓面ホルダー２は折畳んで収納可能としている。即ち、
非工作状態では、卓面ホルダーとＰＶパネル１１はそれぞれ折り畳み収納可能であり、占
用の空間を大きく減少する。また、分体的構成によりメンテナンスが容易に行われるよう
になっている。
【図面の簡単な説明】
【００１０】
【図１】本考案の野外用多機能ソーラー折畳卓の立体構造図である。
【図２】本実用新案における卓面ホルダーの立体構造図である。
【図３】本実用新案のソーラー卓の平面構造を示す図である。
【図４】本実用新案の図３Ａにおける拡大構造図である。
【図５】本実用新案の図３Ｂにおける拡大構造図である。
【００１１】
［符号の説明］
１      ソーラー卓面
１１    ＰＶパネル（光起電力パネル）
１２    ヒンジ
１３    ヒンジピン
１４    第２開孔
１５    第１開孔
１６    制御出力モジュール
２      卓面ホルダー
２１    第１組立部材
２２    第２組立部材
２３    水平ロッド
２４    鉛直ロッド
２５    第１斜めロッド
２６    第２斜めロッド
２７    第３斜めロッド
２８    第４斜めロッド
２９    第３組立部材
３１    基網
３２    接続ブロック
【考案を実施するための形態】
【００１２】
図１?５に示すように、野外用多機能ソーラー折畳卓は、ソーラー卓面１と、ソーラー卓
面１を支持するための卓面ホルダー２と、を含む。ソーラー卓面１は、制御出力モジュー
ル１６と、同一水平面に位置される複数個のＰＶパネル１１と、を含む。隣り合うＰＶパ
ネル１１同士はヒンジ接続部材によってヒンジ接続されている。各ＰＶパネル１１の背面
に織物卓布が貼合されている。制御出力モジュール１６は、制御ハウジングと、メインボ
ードと、インバータと、および出力ポートとを含む。前記メインボードおよびインバータ
はいずれも制御ハウジング内に設置されてされている。前記出力ポートは制御ハウジング
の表面に設置されている。複数個のＰＶパネル１１の出力端とメインボードの入力端とが
接続されている。前記メインボードの出力端はインバータを介して出力ポートに接続され
ている。前記制御ハウジングの一側はがソーラー卓面１にヒンジ接続されている。前記制
御ハウジングの表面に織物卓布と貼合するための面ファスナーが設置されている。ソーラ
ー卓面１は卓面ホルダー２に着脱可能に設置されている。前記織物卓布は卓面ホルダー２
に対向している。
【００１３】
ソーラー卓面１は卓面ホルダー２に着脱可能に設置されている。さらに本願考案において
、ソーラー卓面１は相互にヒンジ接続される複数個のＰＶパネル１１より構成されている
。このように構成すると、電気供給が必要な場合、ＰＶパネル１１を、展開して、卓面ホ
ルダー２上に取り付けて、太陽に向かせばよい。この場合、ＰＶパネル１１によって太陽
エネルギを生じ得、制御出力モジュール１６によってさらに処理して、それから、制御出
力モジュール１６の出力端末に電子装置を接続して、野外での電気供給が可能になる。こ
れによって、省エネであり、構成上で適宜で、トライプには便利となる。
【００１４】
さらに、ＰＶパネル１１を卓面ホルダー２上に平らに配置していると、ソーラー卓面１に
各種類の品物を置いて、それ上で各活動を行うことができる。また、電子装置の電量が十
分であると、ソーラー卓面１を反転させることができる。すなわち、ＰＶパネル１１の織
物卓布付く一面が上向きとなり、美しくなる。
【００１５】
織物ボックス１６２と織物卓布とが緊密に貼合されている。メインボード、インバータ、
および出力ポートはいずれも織物ボックス１６２内に置いてもよ良い。その端面にジッパ
ーユニット１６１が設けられ、これによって口を封じられる。このため、収納が便利にで
きている。そして、制御出力モジュールに塵などが進入するなどによって正常の動作を影
響することを回避できる。
【００１６】
さらに、本願考案にかかるソーラー卓面１は相互にヒンジ接続される複数個のＰＶパネル
１１により構成されるとともに、卓面ホルダー２は折畳んで収納可能としている。即ち、
非工作状態では、卓面ホルダーとＰＶパネル１１はそれぞれ折り畳み収納可能であり、占
用の空間を大きく減少する。また、分体的構成によりメンテナンスが容易に行われるよう
になっている。
【００１７】
ヒンジ接続部材は、ヒンジ１２を含む。そして、ヒンジ１２内に中空チャンパーが設けら
れている。中空チャンパー内にヒンジピン１３が設けられている。ヒンジ１２は、各ＰＶ
パネル１１の両側にそれぞれ設けられるとするとともに、２つのＰＶパネル１１の隣り合
う両側部間で１個のヒンジ１２を共用するように構成されている。ソーラー卓面１の両側
に位置するヒンジ１２の前後両端に第１開孔１５が開設されている。ソーラー卓面１の中
間位置におけるヒンジ１２の前後両端に第２開孔１４が開設されている。卓面ホルダー２
は、第１開孔１５に着脱可能に組立てられヒンジピン１３に外套される第１組立部材２１
と、第２開孔１４に着脱可能に組立てられヒンジピン１３に外套される第２組立部材２２
とを含む。第１組立部材２１および第２組立部材２２の下端にいずれも鉛直方向に延伸す
る鉛直ロッド２４が設けられている。また、ソーラー卓面１の前端の第２組立部材２２の
両側にそれぞれ水平方向に延伸する水平ロッド２３を介してソーラー卓面１の前端に位置
する両第１組立部材２１に接続されている。ソーラー卓面１の後端の第２組立部材２２の
両側がそれぞれ水平方向に延伸する水平ロッド２３を介してソーラー卓面１の後端に位置
する両第１組立部材２１に接続されている。なお、水平ロッド２３はソーラー卓面１の底
部に位置している。
【００１８】
ヒンジ１２の特性によって、複数個のＰＶパネル１１は相互折り畳んで収納可能となって
いる。中空チャンパー内にあるヒンジピン１３は、卓面ホルダー２と組み立てるために用
いられるうえ、ＰＶパネル１１同士間の安定性も向上できている。水平ロッド２３と鉛直
ロッド２４によって基本的枠構成を形成する上で、ソーラー卓面１を卓面ホルダー２上に
配置し、加えて水平ロッド２３によって複数個のＰＶパネル１１の底面を支持するとされ
ているので、ＰＶパネル１１の安定化が実現できる。
【００１９】
卓面ホルダー２は、さらに複数個の第３組立部材２９と、複数個の第１斜めロッド２５と
、複数個の第２斜めロッド２６と、複数個の第３斜めロッド２７と、および複数個の第４
斜めロッド２８とを含む。第３組立部材２９が各鉛直ロッド２４におけるソーラー卓面１
と反対側の一端に位置されている。ソーラー卓面１の前端に位置する第１組立部材２１お
よび第２組立部材２２はいずれも第１斜めロッド２５を介してソーラー卓面１の後端に位
置するとともにそれらにそれぞれ対応する第３組立部材２９に接続されている。ソーラー
卓面１の後端に位置する第１組立部材２１および第２組立部材２２はいずれも第２斜めロ
ッド２６を介してソーラー卓面１の前端に位置するとともにそれらにそれぞれ対応する第
３組立部材２９に接続されている。ソーラー卓面１の前端に位置する第２組立部材２２の
両側はそれぞれ第３斜めロッド２７を介してソーラー卓面１の前端両側に位置する第３組
立部材２９に接続されている。ソーラー卓面１の後端に位置する第２組立部材２２の両側
はそれぞれ第３斜めロッド２７を介してソーラー卓面１の後端に位置する両第３組立部材
２９に接続されている。ソーラー卓面１の前端の中間位置に位置する第３組立部材２９は
第４斜めロッド２８を介してそれぞれソーラー卓面１の前端の両側位置に位置する両第１
組立部材２１に接続されている。ソーラー卓面１の後端の中間位置に位置する第３組立部
材２９は第４斜めロッド２８を介してそれぞれソーラー卓面１の後端の両側位置に位置す
る両第１組立部材２１に接続されている。
【００２０】
備えられている第１斜めロッド２５、第２斜めロッド２６、第３斜めロッド２７、および
第４斜めロッド２８によって、複数の三角形安定構成を形成していはるので、卓面ホルダ
ー２全体としてさらなる安定性を持たせている。ということで、水平ロッド２３を取り外
すと、各鉛直ロッド２４を中間側へ押せば良い。第１斜めロッド２５、第２斜めロッド２
６、第３斜めロッド２７、第４斜めロッド２８は、対応する第１組立部材２１、第２組立
部材２２、第３組立部材２９と組立時点において相互ヒンジ接続状態が形成されたとなる
ので、卓面ホルダー２全体としては折畳み収納が可能となり、占用空間を大きく減少する
。
【００２１】
第１組立部材２１の頂端および第２組立部材２２の頂端にそれぞれヒンジピン１３に組み
立てる組立係溝が開設されている。第１組立部材２１の一側および第２組立部材２２の上
端両側にそれぞれ水平ロッド２３を組み立てる水平係溝が開設されている。第１組立部材
２１の下端および第２組立部材２２の下端にそれぞれ鉛直係溝が開設されている。ソーラ
ー卓面１の前端に位置する第１組立部材２１の背面およびソーラー卓面１の前端に位置す
る第２組立部材２２の背面にそれぞれ第１斜めロッド２５を組み立てる第１斜めロッド係
溝が開設されている。ソーラー卓面１の後端に位置する第１組立部材２１の表面およびソ
ーラー卓面１の後端に位置する第２組立部材２２の表面にそれぞれ第２斜めロッド２６を
組み立てる第２斜めロッド係溝が開設されている。各第２組立部材２２の両側にされに第
３斜めロッド２７を組み立てる第３斜めロッド係溝が開設されている。各第１組立部材２
１の一側にさらに第４斜めロッド２８を組み立てる第４斜めロッド係溝が開設されている
。
【００２２】
さらに支持格子を備えている。支持格子は、水平に配置される基網３１と、複数個の接続
ブロック３２と、を含む。接続ブロック３２の一端に水平ロッド２３が挿入設置されてい
る。接続ブロック３２の他端が基網３１に垂直に接続されている。支持格子はさらに引き
出しとしても機能を発揮できるが、様々な物を基網３１の表面におけば良い。
【００２３】
以上の実施形態は、本考案の好適な実施形態についての説明するものであり、本考案の範
囲を限定するものではなく、本考案の精神から逸脱しないことを前提に、当業者が本考案
に対して行った様々な変形及び改良は、本考案の請求項に定める保護範囲内に含まれるも
のとする。